(57)【要約】【課題】床下地に対してしっかりとした固定具止めをするための適切な実部を効率的に形成できる床材の製造方法を提供する。【解決手段】基材１０の短辺と長辺のそれぞれ１辺について、上下面のいずれか一方の角部１１を所定深さに切削して切り欠き凹所１２を形成し、切り欠き凹所１２に、その凹所空間の全体を埋めるように、かつ、面側において基材１０と略面一となるように形成した別部材２０を装着貼り付けし、基材１０の上面に表面材２５を貼り付け、装着貼り付けされた別部材２０の一部を切除して固定具止め用実部１を形成し、かつ、固定具止め用実部１とは反対側となる辺において基材１０の一部を切除して非固定具止め用実部２を形成する。【選択図】図１
2018053558.tif 000002
【特許請求の範囲】
【請求項１】
基材の短辺と長辺のそれぞれ１辺について、上下面のいずれか一方の角部を所定深さに切削して切り欠き凹所を形成し、
前記切り欠き凹所に、その凹所空間の全体を埋めるように、かつ、面側において前記基材と略面一となるように形成した別部材を装着貼り付けし、
前記基材の上面に表面材を貼り付け、
装着貼り付けされた前記別部材の一部を切除して固定具止め用実部を形成し、かつ、該固定具止め用実部とは反対側となる辺において前記基材の一部を切除して非固定具止め用実部を形成することを特徴とする床材の製造方法。
【請求項２】
請求項１において、
前記別部材は、前記切り欠き凹所に装着貼り付けされた状態で前記基材の側端面より突出する寸法とされており、
前記表面材は、前記基材の上面全体と、装着貼り付けされた前記別部材の一部とを覆うように貼り付けられ、
前記固定具止め用実部は雄実部とされ、前記基材の側端面より突出した前記別部材の部位における上面側の一部を切除し、かつ下面側を切除しないことで形成される、床材の製造方法。
【発明の詳細な説明】
【技術分野】
【０００１】
本発明は、床材の製造方法に関する。
【背景技術】
【０００２】
従来、雄実部と雌実部を有した床材の床下地への固着のやり方は、両実部のいずれか一方に木ねじやビス、ステープルなどの固定具を打つことでなされることが通例となっている。したがって、床材を床下地にしっかりと、かつ確実に固着するためには、実部に、固定具が打てないほどの硬質な節や、節が抜けて空洞となった節抜け部、打ち付けた固定具が弛むほどの空隙が存在しないことが必要とされる。
【０００３】
このような点を鑑みて、実部を基材自体の材料では構成せずに、均質な材料よりなる別部材で構成することが種々提案されている（たとえば、特許文献１参照）。このような技術は、基材として節の多い針葉樹合板や空隙を有した木質繊維材を用いたものに特に有効である。
【０００４】
特許文献１に記載の技術は、基材の一方の面において、端部には凹段部を形成し、端部間の中央部には凹溝部を形成し、凹段部と凹溝部に別部材を装着貼り付けし、凹溝部に埋め込んだ別部材の幅方向の中央で基材を切断して複数の床元材を形成するものである。この床元材は両側端に別部材が配された実部形成前のものであり、それぞれの側端部を切削加工（切除）することで、一方には雄実部が形成され、他方には雌実部が形成された床材が製造される。よって、この文献技術によれば、別部材で構成された雄実部、雌実部を有した床材を簡易に形成することができる。
【先行技術文献】
【特許文献】
【０００５】
【特許文献１】特開２００６−３７５２０号公報
【発明の概要】
【発明が解決しようとする課題】
【０００６】
ところで、上述したように、この種の床材を床下地に固定具止めする部位は雄実部、雌実部のうちの一方である。したがって、適正な固定具止めができる床材としては、いずれか一方の実部を固定具止め用実部として別部材で形成されていれば十分である。
【０００７】
しかしながら、上記文献の方法では、雄実部と雌実部の両方を別部材で形成しているため、必要以上の別部材が必要とされ、それらの装着貼り付け作業について多くの工数が必要とされる。また、一方のみの実部を形成するために基材の端部の凹段部に対して取りつける別部材と、両方の実部を形成するために凹溝部に対して取りつける別部材とでは当然に寸法が異なる。よって、床材を形成するために２種類の別部材を用意しなければならない。
【０００８】
本発明は、このような事情を考慮して提案されたもので、その目的は、床下地に対してしっかりとした固定具止めをするための適切な実部を効率的に形成できる床材の製造方法を提供することにある。
【課題を解決するための手段】
【０００９】
上記目的を達成するために、本発明の床材の製造方法は、基材の短辺と長辺のそれぞれ１辺について、上下面のいずれか一方の角部を所定深さに切削して切り欠き凹所を形成し、前記切り欠き凹所に、その凹所空間の全体を埋めるように、かつ、面側において前記基材と略面一となるように形成した別部材を装着貼り付けし、前記基材の上面に表面材を貼り付け、装着貼り付けされた前記別部材の一部を切除して固定具止め用実部を形成し、かつ、該固定具止め用実部とは反対側となる辺において前記基材の一部を切除して非固定具止め用実部を形成することを特徴とする。
【発明の効果】
【００１０】
本発明の床材の製造方法によれば、上述した手順となっているため、床下地に対してしっかりとした固定具止めをするための適切な実部を効率的に形成することができる。
【図面の簡単な説明】
【００１１】
【図１】（ａ）〜（ｄ）は、本発明の一実施形態に係る床材の製造方法の手順を示す概略縦断面図である。
【図２】（ａ）〜（ｃ）は、本発明の一実施形態に係る床材の製造方法の手順を示す概略平面図である。
【図３】（ａ）（ｂ）は、本発明の他の実施形態に係る床材の製造方法の手順の一部を示す概略縦断面図である。
【図４】（ａ）〜（ｄ）は、本発明のさらに他の実施形態に係る床材の製造方法の手順を示す概略縦断面図である。
【発明を実施するための形態】
【００１２】
以下に、本発明の実施の形態について、添付図面をもとに説明する。まず、実施形態に共通する基本構成について概説する。
【００１３】
以下に示した種々の実施形態に係る床材の製造方法は、つぎのような手順となっている（図１〜図４参照）。
【００１４】
まず、基材１０の短辺と長辺のそれぞれ１辺について、上下面のいずれか一方の角部１１を所定深さに切削して切り欠き凹所１２を形成する。
つぎに、切り欠き凹所１２に、その凹所空間の全体を埋めるように、かつ、面側において基材１０と略面一となるように形成した別部材２０を装着貼り付けする。
その後、基材１０の上面に表面材２５を貼り付ける。
ついで、装着貼り付けされた別部材２０の一部を切除して固定具止め用実部１を形成し、かつ、固定具止め用実部１とは反対側となる辺において基材１０の一部を切除して非固定具止め用実部２を形成する。
【００１５】
ここで、基材１０としては、無垢の木材、集成材、スギ、ヒノキ、カラマツ、トドマツなどの節の多い針葉樹合板、ＭＤＦ（中密度繊維板）、ＨＤＦ（高密度繊維板）、インシュレーションボード、ＯＳＢ（配向性ストランドボード）などが挙げられる。また、基材１０の厚みは９〜１５ｍｍ程度である。
【００１６】
また、別部材２０としては、木材、合板、パーティクルボード、ＭＤＦ、ＨＤＦなどの木質ボードが挙げられる。別部材２０としてはさらに、ＡＢＳ（アクリロニトリル・ブタジエン・スチレン樹脂）、ＰＶＣ（ポリ塩化ビニル）、ＰＳ（ポリスチレン）などの樹脂材料が用いられる。また、別部材２０として、樹脂に木粉等のフィラーを添加したウッドプラスチック、樹脂に発泡剤を添加し成形した発泡樹脂材料などを用いることもできる。別部材２０には、節や空隙などの欠点がなく材料が均質であるものが用いられることが望ましい。
【００１７】
つぎに、図１および図２に示した、床材の製造方法について詳細に説明する。なお、図１の各図は製造方法を床材の概略縦断面図で示したものであり、図２の各図は製造方法を床材の概略平面図で示したものである。なお、床材の仕上げの平面寸法は３０３ｍｍ×１８１８ｍｍとされる。図１の各図は、図２のＡ−Ａ線に対応した拡大概略縦断面図である。
【００１８】
この製造方法により製造される床材は、雄実部５が固定具止め用実部１とされる。つまり、雄実部５が別部材２０で形成されている（図１（ｄ）参照）。以下、手順に沿って説明する。
【００１９】
まず、基材１０が加工される。加工される部位は、基材１０の短辺と長辺のそれぞれ１辺の上面の角部１１である（図１（ａ）および図２（ａ）参照）。この部位が下面側に所定の厚みを残して切削されて切り欠き凹所１２が形成される。図１（ａ）および図２（ａ）では、切削部位（切り欠き凹所１２）が２点鎖線で示してある。
【００２０】
この切り欠き凹所１２に、その凹所空間の全体を埋めるように上記別部材２０が装着貼り付けされる（図１（ａ）（ｂ）および図２（ａ）（ｂ）参照）。別部材２０の厚さ寸法は切り欠き凹所１２の深さ寸法と略同一とされる。つまり、上面側で基材１０と別部材２０とが略面一となるような厚さの別部材２０が用いられればよい。また別部材２０としては、別部材２０を切り欠き凹所１２に装着したときに基材１０の側端面よりも突出するような幅寸法のものが必要とされる。この突出寸法が形成される雄実部５の突出寸法とされる。
【００２１】
別部材２０は、切り欠き凹所１２に酢酸ビニル樹脂、水性ビニルウレタン樹脂などよりなる木工用接着剤をビード状に塗布した後に取り付けられる。圧着、加温により固着されるようにしてもよい。
【００２２】
ついで、表層部の硬度向上や平滑性確保のために、基材１０の上面に表面材２５が接着剤で貼り付けられる（図１（ｃ）および図２（ｂ）（ｃ）参照）。この表面材２５としては、ＭＤＦやＨＤＦなどの１ｍｍ〜３ｍｍ程度の薄厚ボードが用いられる。もちろん、その他種々の材料よりなる表面材２５を用いてもよい。なお、表面材２５の平面寸法は基材１０の平面寸法と略同一とされる。
【００２３】
つぎに、雄実部５および雌実部６が加工形成される（図１（ｄ）および図２（ｃ）参照）。加工順はいずれが先であってもよい。
【００２４】
雄実部５の加工は、テノーナーあるいはモルダーにより別部材２０の一部を切除することでなされる（図１（ｄ）参照）。効率的な加工を実施するために、切除される部位は別部材２０の上面側のみとし、下面側は切除されないようにすることが望ましい。こうして、固定具止め用実部５とされる雄実部１が形成される。
【００２５】
雌実部６の加工は、雄実部５とは反対側となる辺において基材１０の一部を切除することでなされる（図１（ｄ）参照）。こうして、非固定具止め用実部２とされる雌実部６が形成される。
【００２６】
また、雄実部５および雌実部６の形成とともに、上面側の面取り加工がなされればよい（図１（ｄ）参照）。
【００２７】
このようにして、基材１０の１組の対辺（図１では長辺を図示）について、固定具止め用実部１（雄実部５）および非固定具止め用実部２（雌実部６）が形成される。他の１組の対辺についても、図１（ａ）〜（ｄ）の同様の手順で固定具止め用実部１（雄実部５）および非固定具止め用実部２（雌実部６）が形成される。
【００２８】
こうして形成された床材には表面仕上げがなされればよい。表面仕上げとしては、サンディング等による平滑化、突板や化粧シートなどの仕上げ材（不図示）の貼着がなされる。さらに塗装が施されるようにしてもよい。
【００２９】
以上のような製造方法により、長辺と短辺のそれぞれ１辺について別部材２０よりなる雄実部５を有した床材が製造される。本床材においては、雄実部５は、床材を床下地に固定する際の、木ねじやステープルなどの固定具を打つ固定具止め用の実部とされる。この雄実部５が均質な材料よりなる別部材２０で形成されているため、従来問題とされていた、節や空隙による固定具止めの障害を回避でき、その結果、床材を床下地にしっかりと強固に固着することができる。
【００３０】
また、本製造方法は、別部材２０を非固定具止め用実部２とされる実部（本例では雌実部６）には取りつけないような手順となっているため、別部材２０を節約することができ、別部材２０の装着貼り付けの工数も少なくすることができる。ようするに、この製造方法によれば、固定具止めするための適切な実部を効率的に形成することができる。
【００３１】
雄実部５を固定具止め用実部１とした床材の製造方法としては、図３に示したものであってもよい。図３に示した床材の製造方法の手順は、図１、図２に示した実施形態とおおむね同じであるが、使用する材料の形状、寸法が異なっている。なお、図３の実施形態に係る床材の製造方法については、詳細な手順の図示および説明を省略する。
【００３２】
この製造方法では、図３（ａ）（ｂ）に示すように、基材１０の切り欠き凹所１２の横方向の深さを図１のものと同一とした場合、基材１０の側端面からの別部材２０の突出寸法が図１のものよりもさらに大きくなるような幅寸法の大きな別部材２０が用いられる。また、表面材２５としては、別部材２０側では基材１０の側端面よりも突出するように貼り付けられる。
【００３３】
また、雄実部５は、表面材２５の側端位置に合わせるように別部材２０を切除することで形成される（図３（ｂ）参照）。雌実部６は図１のものと同様、基材１０を切除することで形成される。
【００３４】
このような別部材２０を用いることで、図３（ｂ）に示すように、床材の雄実部５側の側端面が基材１０の側端面よりも寸法差Ｌ分、外方に位置することとなる。つまり、図３に示した床材の製造方法によれば、基材１０の寸法よりも図３（ｂ）における寸法差Ｌ分、大きな床材を形成することができる。
【００３５】
従来では、たとえば３０３ｍｍ×１８１８ｍｍの床材を製造する場合、切削代を考慮して、９４５ｍｍ×１８４０ｍｍの原板を３分割して製造していた。しかし、本製造方法で製造すれば、大きめの別部材２０を用いることで全体寸法を大きくすることができるので、９１０ｍｍ×１８２０ｍｍの基材１０を用いても上記床材を製造することができる。つまり、本製造方法によれば、別部材２０により寸法を稼ぐことができ、基材１０の省材料化が可能となる。なお、図１に示した床材の製造方法であっても、雄実部５は別部材２０で形成されているため、使用する原材料は製造する床材の寸法にくらべて小さいものであってよい。
【００３６】
以上に説明した床材の製造方法について効果を検証するために、つぎに示す２つの実施例と、従来方法である比較例と比較検査した。
【００３７】
（実施例１：図１、図２の実施形態に対応したもの）
基材１０としては、針葉樹合板９ｍｍ厚、９４５ｍｍ×１８４０ｍｍサイズの原材料をギャングソーにより３分割して３１３ｍｍ×１８４０ｍｍサイズにしたものを用いた。
分割した材料（基材１０）の長辺、短辺の各１辺の角部１１をテノーナーの切削により、幅１５ｍｍ、上面からの深さ５ｍｍの切り欠き凹所１２を形成した。
別部材２０としては、節のほとんどないラワン合板を材料とした、幅２５ｍｍ、厚さ５ｍｍのものを用いた。
切り欠き凹所１２へ酢酸ビニルエマルジョン接着剤をビード状に塗布し、別部材２０を装着貼り付けし、一定時間の養生により接着固定した。
表層部には、２．７ｍｍ厚、３１３ｍｍ×１８４０ｍｍサイズのＭＤＦよりなる表面材２５を上記と同様の接着剤で接着し、プレス複合し、さらにその上に、０．２ｍｍ厚のナラ単板よりなる表面仕上げ材（不図示）を接着した。
ついで、テノーナーにより、２辺の雄実部５、２辺の雌実部６を加工形成した。
最後に、生地研磨、生地着色、ＵＶ塗装仕上げを行った。
上記手順により、３０３ｍｍ×１８１８ｍｍサイズの床材を作製した。
【００３８】
（実施例２）（図３の実施形態に対応したもの）
基材１０としては、針葉樹合板９ｍｍ厚、９１０ｍｍ×１８２０ｍｍサイズの原材料をギャングソーにより３分割して３０１ｍｍ×１８２０ｍｍサイズにしたものを用いた。
分割した材料（基材１０）の長辺、短辺の各１辺のテノーナーの切削により、幅１５ｍｍ、上面からの深さ５ｍｍの切り欠き凹所１２を形成した。
別部材２０としては、節のほとんどないラワン合板を材料とした、幅３７ｍｍ、厚さ５ｍｍのものを用いた。
切り欠き凹所１２へ酢酸ビニルエマルジョン接着剤をビード状に塗布し、別部材２０を装着貼り付けし、一定時間の養生により接着固定した。
表層部には、２．７ｍｍ厚、３１３ｍｍ×１８４０ｍｍサイズのＭＤＦよりなる表面材２５を上記と同様の接着剤で接着し、プレス複合し、さらにその上に、０．２ｍｍ厚のナラ単板よりなる表面仕上げ材（不図示）を接着した。
ついで、テノーナーにより、２辺の雄実部５、２辺の雌実部５を加工形成した。
最後に、生地研磨、生地着色、ＵＶ塗装仕上げを行った。
上記手順により、３０３ｍｍ×１８１８ｍｍサイズの床材を作製した。
【００３９】
（比較例：材料、手順について不図示）
針葉樹合板９ｍｍ厚、９４５ｍｍ×１８４０ｍｍサイズの原板の表層に、２．７ｍｍ厚、９４５ｍｍ×１８４０ｍｍサイズのＭＤＦを木工用接着剤で接着し、つぎに、ギャングソーにより３分割して３１３ｍｍ×１８４０ｍｍサイズにした。分割した材料に、０．２ｍｍ厚のナラ単板よりなる表面仕上げ材を接着し、テノーナーにより、２辺の雄実部、２辺の雌実部を加工形成した。最後に、生地研磨、生地着色、ＵＶ塗装仕上げを行った。
上記手順により、３０３ｍｍ×１８１８ｍｍサイズの床材を作製した。
【００４０】
以上の３例を比較したところ、実施例１、２では、固定具止め用実部１である雄実部５には、別部材２０が使用されているため節は表れなかった。そのため、雄実部５へのビス止め後にビスが浮くことはなかった。一方、比較例では、雄実部に針葉樹合板の節が表れた。節にビス打ちしたところ、割れが生じた。また、節のない箇所にビス打ちしたが、ビスの浮きが生じた。
【００４１】
つぎに、図４を参照して、雌実部６を固定具止め用実部１とした床材の製造方法について説明する。なお、本実施形態に係る床材の製造方法に関する平面図については、添付を省略する。
【００４２】
まず、基材１０が加工される。加工される部位は、基材１０の短辺と長辺のそれぞれ１辺の下面の角部１１である（図４（ａ）参照）。この部位が上面側に所定の厚みを残して切削されて切り欠き凹所１２が形成される。図４（ａ）には、切削部位（切り欠き凹所１２）が２点鎖線で示してある。
【００４３】
この切り欠き凹所１２に、その凹所空間の全体を埋めるように別部材２０が装着貼り付けされる（図４（ａ）（ｂ）参照）。別部材２０の厚さ寸法は切り欠き凹所１２の深さ寸法と略同一とされる。つまり、下面側で基材１０と別部材２０とが略面一となるような厚さの別部材２０が用いられればよい。また別部材２０の幅寸法は、別部材２０を切り欠き凹所に装着したときに基材１０の側端面よりも突出しない、側端面が略面一となる寸法とされる。したがって、この別部材２０は図１で使用される別部材２０にくらべて幅寸法が小さくてよい。
【００４４】
別部材２０は、切り欠き凹所１２に酢酸ビニル樹脂、水性ビニルウレタン樹脂などよりなる木工用接着剤をビード状に塗布した後に取り付けられる。圧着、加温により固着されるようにしてもよい。
【００４５】
ついで、表層部の硬度向上や平滑性確保のために、基材１０の上面に表面材２５が接着剤で貼り付けられる（図４（ｂ）（ｃ）参照）。この表面材２５としては、ＭＤＦやＨＤＦなどの１ｍｍ〜３ｍｍ程度の薄厚ボードが用いられる。もちろん、その他種々の材料よりなる表面材２５を用いてもよい。なお、表面材２５の平面寸法は、雄実部５の加工を考慮すれば雄実部２５側には貼り付けが不要であるため、基材１０の平面寸法よりも小さくてよい。
【００４６】
つぎに、雄実部５および雌実部６が加工形成される（図４（ｃ）参照）。加工順はいずれが先であってもよい。
【００４７】
雌実部６の加工は、テノーナーあるいはモルダーにより別部材２０の一部が切除されることでなされる（図４（ｄ）参照）。こうして、固定具止め用実部１とされる雌実部６が形成される。
【００４８】
雄実部６の加工は、雌実部５とは反対側となる辺における基材１０の一部を切除することでなされる（図４（ｄ）参照）。こうして、非固定具止め用実部２とされる雄実部６が形成される。
【００４９】
また、雄実部５および雌実部６の形成とともに、上面側の面取り加工がなされればよい（図４（ｄ）参照）。
【００５０】
このようにして、基材１０の１組の対辺（図例では長辺）について、固定具止め用実部１（雌実部６）および非固定具止め用実部２（雄実部５）が形成される。他の１組の対辺についても、図４（ａ）〜（ｄ）の同様の手順で固定具止め用実部１（雌実部６）および非固定具止め用実部２（雄実部５）が形成される。
【００５１】
こうして形成された床材には表面仕上げがなされればよい。表面仕上げとしては、サンディング等による平滑化、突板や化粧シートなどの仕上げ材の貼着がなされる。さらに塗装が施されるようにしてもよい。
【００５２】
以上のような製造方法により、長辺と短辺のそれぞれ１辺について別部材２０よりなる雌実部６を有した床材が製造される。本床材においては、雌実部６は、床材を床下地に固定する際の、木ねじやステープルなどの固定具を打つ固定具止め用実部とされる。この雌実部６が均質な材料よりなる別部材２０で形成されているため、床材を床下地にしっかりと強固に固着することができる。
【００５３】
また、この製造方法では、固定具止め用実部１である雌実部６のみに別部材２０を用いればよいため、使用する別部材２０を節約することができ、別部材２０の装着貼り付けの工数も少なくすることができる。
【００５４】
なお、雌実部６を固定具止め用実部１とした床材を製造する方法では、図１のものと同一寸法の床材を製造する場合でも、大きな寸法の基材１０が必要とされる。しかしながらその反面、図１のものにくらべて、使用する別部材２０は幅寸法が小さなものでよく、別部材２０については省材料化ができる。
【符号の説明】
【００５５】
１０        基材
１１        角部
１２        切り欠き凹所
２０        別部材
２５        表面材
１          固定具止め用実部
２          非固定具止め用実部
５          雄実部
６          雌実部
【図１】
2018053558.tif 000003
【図２】
2018053558.tif 000004
【図３】
2018053558.tif 000005
【図４】
2018053558.tif 000006